(57)【要約】【課題】タッチパネルに対する入力操作を補助する物理キーを使用可能なアプリケーションを携帯端末装置にて起動させることができ、当該物理キーを使用可能とする。【解決手段】携帯端末装置のタッチパネルに対する入力操作を補助する物理キーを備える入力操作補助具に、携帯端末装置により起動されるアプリケーションと対応するアプリケーション情報を記憶する情報記憶部を設け、物理キーを、携帯端末装置により起動されたアプリケーションによって入力操作を検出する領域として割り当てられる入力検出領域に対応する位置に配置する。【選択図】図６
2016018334.tif 000002
【特許請求の範囲】
【請求項１】
携帯端末装置に装着されて、前記携帯端末装置のタッチパネルへのユーザの入力操作を補助する入力操作補助具であって、
前記携帯端末装置により起動されるアプリケーションと対応するアプリケーション情報を記憶する情報記憶部と、
前記携帯端末装置により起動された前記アプリケーションによって前記入力操作を検出する領域として割り当てられる入力検出領域に対応する位置に配置され、ユーザによる押下操作により前記入力検出領域に接触する物理キーと、
を備えることを特徴とする入力操作補助具。
【請求項２】
携帯端末装置に装着されて、前記携帯端末装置のタッチパネルへのユーザの入力操作を補助する入力操作補助具であって、
前記携帯端末装置がアプリケーションを入手するためのアプリケーション情報を記憶する情報記憶部と、
前記アプリケーション情報に基づいて入手された前記アプリケーションによって前記入力操作を検出する領域として割り当てられる入力検出領域に対応する位置に配置され、ユーザによる押下操作により前記入力検出領域に接触する物理キーと、
を備えることを特徴とする入力操作補助具。
【請求項３】
携帯端末装置に装着されて、前記携帯端末装置のタッチパネルへのユーザの入力操作を補助する入力操作補助具であって、
前記携帯端末装置がアプリケーションを起動するためのアプリケーション情報を記憶する情報記憶部と、
前記携帯端末装置に装着された際、前記情報記憶部が記憶するアプリケーション情報を前記携帯端末装置に送信する通信手段と、
前記アプリケーション情報に基づいて起動された前記アプリケーションによって前記入力操作を検出する領域として割り当てられる入力検出領域に対応する位置に配置され、ユーザによる押下操作により前記入力検出領域に接触する物理キーと、
を備えることを特徴とする入力操作補助具。
【請求項４】
請求項１乃至３の何れか一項に記載の入力操作補助具であって、
前記アプリケーション情報は、前記アプリケーションのダウンロード元を特定するためのダウンロード元情報であることを特徴とする入力操作補助具。
【請求項５】
請求項４に記載の入力操作補助具であって、
前記ダウンロード元は、複数種類の前記アプリケーションの中からユーザにより選択されたアプリケーションをダウンロード可能に構成されていることを特徴とする入力操作補助具。
【請求項６】
請求項３に記載の入力操作補助具であって、
前記通信手段は、前記アプリケーションの起動中に前記携帯端末装置においてユーザによる保存操作が検出された際に、当該携帯端末装置から当該アプリケーションの保存データを受信し、
前記通信手段が受信した保存データを記憶する保存データ記憶部を更に備えることを特徴とする入力操作補助具。
【請求項７】
携帯端末装置に装着されて、前記携帯端末装置のタッチパネルへのユーザの入力操作を補助する入力操作補助具であって、
前記携帯端末装置で起動されるアプリケーションを記憶する情報記憶部と、
前記携帯端末装置に装着された際、前記情報記憶部が記憶するアプリケーションを前記携帯端末装置に送信する通信手段と、
前記携帯端末装置によって起動された前記アプリケーションによって前記入力操作を検出する領域として割り当てられる入力検出領域に対応する位置に配置され、ユーザによる押下操作により前記入力検出領域に接触する物理キーと、
を備えることを特徴とする入力操作補助具。
【請求項８】
携帯端末装置と、前記携帯端末装置に装着されて、前記携帯端末装置のタッチパネルへのユーザの入力操作を補助する入力操作補助具とを含む入力操作補助システムであって、
前記入力操作補助具は、
前記携帯端末装置により起動されるアプリケーションと対応するアプリケーション情報を記憶する情報記憶部と、
前記携帯端末装置により起動された前記アプリケーションによって前記入力操作を検出する領域として割り当てられる入力検出領域に対応する位置に配置され、ユーザによる押下操作により前記入力検出領域に接触する物理キーと、
を備え、
前記携帯端末装置は、
前記入力操作補助具から前記アプリケーション情報を受信する受信手段と、
前記受信手段が受信したアプリケーション情報に基づいて、前記アプリケーションを起動させる起動手段と、
を備えることを特徴とする入力操作補助システム。
【請求項９】
携帯端末装置と、前記携帯端末装置に装着されて、前記携帯端末装置のタッチパネルへのユーザの入力操作を補助する入力操作補助具とを含む入力操作補助システムによる情報処理方法であって、
前記携帯端末装置により起動されるアプリケーションと対応するアプリケーション情報を記憶する情報記憶部と、前記携帯端末装置により起動された前記アプリケーションによって前記入力操作を検出する領域として割り当てられる入力検出領域に対応する位置に配置され、ユーザによる押下操作により前記入力検出領域に接触する物理キーと、を備える前記入力操作補助具が、前記アプリケーション情報を前記携帯端末装置に送信する通信工程と、
前記携帯端末装置が、前記入力操作補助具から前記アプリケーション情報を受信する受信工程と、
前記携帯端末装置が、前記受信工程で受信したアプリケーション情報に基づいて、前記アプリケーションを起動させる起動工程と、
を含むことを特徴とする情報処理方法。
【請求項１０】
携帯端末装置と、前記携帯端末装置に装着されて、前記携帯端末装置のタッチパネルへのユーザの入力操作を補助する入力操作補助具とを含む入力操作補助システムであって、
前記入力操作補助具は、
前記携帯端末装置がアプリケーションを入手するためのアプリケーション情報を記憶する情報記憶部と、
前記アプリケーション情報に基づいて入手された前記アプリケーションによって前記入力操作を検出する領域として割り当てられる入力検出領域に対応する位置に配置され、ユーザによる押下操作により前記入力検出領域に接触する物理キーと、
を備え、
前記携帯端末装置は、
前記入力操作補助具から前記アプリケーション情報を受信する受信手段と、
前記受信手段が受信したアプリケーション情報に基づいて入手した前記アプリケーションを起動させる起動手段と、
を備えることを特徴とする入力操作補助システム。
【請求項１１】
携帯端末装置と、前記携帯端末装置に装着されて、前記携帯端末装置のタッチパネルへのユーザの入力操作を補助する入力操作補助具とを含む入力操作補助システムによる情報処理方法であって、
前記携帯端末装置がアプリケーションを入手するためのアプリケーション情報を記憶する情報記憶部と、前記アプリケーション情報に基づいて入手された前記アプリケーションによって前記入力操作を検出する領域として割り当てられる入力検出領域に対応する位置に配置され、ユーザによる押下操作により前記入力検出領域に接触する物理キーと、
を備える前記入力操作補助具が、前記アプリケーション情報を前記携帯端末装置に送信する通信工程と、
前記携帯端末装置が、前記入力操作補助具から前記アプリケーション情報を受信する受信工程と、
前記携帯端末装置が、前記受信工程で受信したアプリケーション情報に基づいて入手した前記アプリケーションを起動させる起動工程と、
を含むことを特徴とする情報処理方法。
【請求項１２】
携帯端末装置と、前記携帯端末装置に装着されて、前記携帯端末装置のタッチパネルへのユーザの入力操作を補助する入力操作補助具とを含む入力操作補助システムであって、
前記入力操作補助具は、
前記携帯端末装置がアプリケーションを起動するためのアプリケーション情報を記憶する情報記憶部と、
前記携帯端末装置に装着された際、前記情報記憶部が記憶するアプリケーション情報を前記携帯端末装置に送信する通信手段と、
前記アプリケーション情報に基づいて起動された前記アプリケーションによって前記入力操作を検出する領域として割り当てられる入力検出領域に対応する位置に配置され、ユーザによる押下操作により前記入力検出領域に接触する物理キーと、
を備え、
前記携帯端末装置は、
前記入力操作補助具から前記アプリケーション情報を受信する受信手段と、
前記受信手段が受信したアプリケーション情報に基づいて、前記アプリケーションを起動させる起動手段と、
を備えることを特徴とする入力操作補助システム。
【請求項１３】
請求項１２に記載の入力操作補助システムであって、
前記アプリケーション情報は、前記アプリケーションのダウンロード元を特定するためのダウンロード元情報であり、
前記ダウンロード元は、複数種類の前記アプリケーションの中からユーザにより選択されたアプリケーションをダウンロード可能に構成されており、
前記受信手段は、前記ダウンロード元から、ユーザにより選択されたアプリケーションを更に受信し、
前記起動手段は、前記受信手段が受信したアプリケーションを起動させることを特徴とする入力操作補助システム。
【請求項１４】
請求項１２又は１３に記載の入力操作補助システムであって、
前記携帯端末装置は、
前記アプリケーションの起動中にユーザによる保存操作が検出された際に、当該アプリケーションの保存データを前記入力操作補助具に送信する保存データ送信手段、を更に備え、
前記通信手段は、前記保存データ送信手段から送信された保存データを受信し、
前記入力操作補助具は、
前記通信手段が受信した保存データを記憶する保存データ記憶部を更に備えることを特徴とする入力操作補助システム。
【請求項１５】
携帯端末装置と、前記携帯端末装置に装着されて、前記携帯端末装置のタッチパネルへのユーザの入力操作を補助する入力操作補助具とを含む入力操作補助システムによる情報処理方法であって、
前記携帯端末装置がアプリケーションを起動するためのアプリケーション情報を記憶する情報記憶部と、前記アプリケーション情報に基づいて起動された前記アプリケーションによって前記入力操作を検出する領域として割り当てられる入力検出領域に対応する位置に配置され、ユーザによる押下操作により前記入力検出領域に接触する物理キーと、を備える前記入力操作補助具が、前記携帯端末装置に装着された際、前記情報記憶部が記憶するアプリケーション情報を前記携帯端末装置に送信する通信工程と、
前記携帯端末装置が、前記入力操作補助具から前記アプリケーション情報を受信する受信工程と、
前記携帯端末装置が、前記受信工程で受信したアプリケーション情報に基づいて、前記アプリケーションを起動させる起動工程と、
を含むことを特徴とする情報処理方法。
【発明の詳細な説明】
【技術分野】
【０００１】
本発明は、携帯端末装置におけるタッチパネルへの入力操作を補助する入力操作補助具等の技術分野に関する。
【背景技術】
【０００２】
スマートフォンやタブレットＰＣ（personal computer）など、タッチパネルを備えた携帯端末装置の普及が進んでいる。タッチパネルを備えた装置では、入力操作を物理キーではなくタッチパネル上に表示されるソフトウェアキーボードを介して行うことが一般的である。しかしながら、ソフトウェアキーボードは物理キーのように凹凸がなく平面形状であるため、ユーザは目的とするキーを適切に操作することが困難であるという問題がある。特に、携帯端末装置におけるソフトウェアキーボードは入力領域が狭いため、この問題が顕著となる。
【０００３】
これに対して特許文献１には、携帯端末装置に設けられたタッチパネルを覆うべくタッチパネルに対して開閉自在に取り付けられた保護カバーに物理キーを設ける技術が開示されている。また、特許文献２には、タッチパネル上に取り外し可能に設けられるカバーに物理キーを設ける技術が開示されている。これらの技術は何れも、タッチパネルに表示されるソフトウェアキーボードの各キーに対応する位置に物理キーを配する技術である。
【先行技術文献】
【特許文献】
【０００４】
【特許文献１】特開平８−２９７６３９号公報
【特許文献２】特開２００５−１７４１１４号公報
【発明の概要】
【発明が解決しようとする課題】
【０００５】
しかしながら、タッチパネルにおけるソフトウェアキーボードの表示位置はアプリケーションプログラム（以下、「アプリケーション」という）に依存し、アプリケーション毎に表示位置が異なるため、アプリケーションによっては、特許文献１及び２に記載の物理キーを使用することができないという問題が生じる。
【０００６】
そこで、本願発明は、上記問題に鑑みてなされたものであり、タッチパネルに対する入力操作を補助する物理キーを使用可能なアプリケーションを携帯端末装置にて起動させることができ、当該物理キーを使用可能とする入力操作補助具等を提供することを課題とする。
【課題を解決するための手段】
【０００７】
上記課題を解決するために、請求項１に記載の発明は、携帯端末装置に装着されて、前記携帯端末装置のタッチパネルへのユーザの入力操作を補助する入力操作補助具であって、前記携帯端末装置により起動されるアプリケーションと対応するアプリケーション情報を記憶する情報記憶部と、前記携帯端末装置により起動された前記アプリケーションによって前記入力操作を検出する領域として割り当てられる入力検出領域に対応する位置に配置され、ユーザによる押下操作により前記入力検出領域に接触する物理キーと、を備えることを特徴とする入力操作補助具である。
【０００８】
当該発明によれば、携帯端末装置により起動されるアプリケーションと入力操作補助具を対応付けることができることから、携帯端末装置が当該アプリケーションを起動した場合に当該アプリケーションにおいて当該物理キーを使用することができる。
【０００９】
また、請求項２に記載の発明は、携帯端末装置に装着されて、前記携帯端末装置のタッチパネルへのユーザの入力操作を補助する入力操作補助具であって、前記携帯端末装置がアプリケーションを入手するためのアプリケーション情報を記憶する情報記憶部と、前記アプリケーション情報に基づいて入手された前記アプリケーションによって前記入力操作を検出する領域として割り当てられる入力検出領域に対応する位置に配置され、ユーザによる押下操作により前記入力検出領域に接触する物理キーと、を備えることを特徴とする入力操作補助具である。
【００１０】
当該発明によれば、携帯端末装置により起動されるアプリケーションと入力操作補助具を対応付けることができることから、携帯端末装置が当該アプリケーションを起動した場合に当該アプリケーションにおいて当該物理キーを使用することができる。
【００１１】
更に、請求項３に記載の発明は、携帯端末装置に装着されて、前記携帯端末装置のタッチパネルへのユーザの入力操作を補助する入力操作補助具であって、前記携帯端末装置がアプリケーションを起動するためのアプリケーション情報を記憶する情報記憶部と、前記携帯端末装置に装着された際、前記情報記憶部が記憶するアプリケーション情報を前記携帯端末装置に送信する通信手段と、前記アプリケーション情報に基づいて起動された前記アプリケーションによって前記入力操作を検出する領域として割り当てられる入力検出領域に対応する位置に配置され、ユーザによる押下操作により前記入力検出領域に接触する物理キーと、を備えることを特徴とする。
【００１２】
当該発明によれば、アプリケーション情報を、タッチパネルに対する入力操作を補助する物理キーを使用可能なアプリケーションを起動するための情報とすることにより、携帯端末装置が当該アプリケーションを起動した場合に当該アプリケーションにおいて当該物理キーを使用することができる。
【００１３】
更に、請求項４に記載の発明は、請求項１乃至３の何れか一項に記載の入力操作補助具であって、前記アプリケーション情報は、前記アプリケーションのダウンロード元を特定するためのダウンロード元情報であることを特徴とする。
【００１４】
当該発明によれば、携帯端末装置がアプリケーション情報に基づいてダウンロード元からタッチパネルに対する入力操作を補助する物理キーを使用可能なアプリケーションをダウンロードすることができる。
【００１５】
更に、請求項５に記載の発明は、請求項４に記載の入力操作補助具であって、前記ダウンロード元は、複数種類の前記アプリケーションの中からユーザにより選択されたアプリケーションをダウンロード可能に構成されていることを特徴とする。
【００１６】
当該発明によれば、携帯端末装置がユーザにより選択されたアプリケーションをダウンロードすることができ、ユーザは自らが選択したアプリケーションにおいて物理キーを使用することができる。
【００１７】
更に、請求項６に記載の発明は、請求項３に記載の入力操作補助具であって、前記通信手段は、前記アプリケーションの起動中に前記携帯端末装置においてユーザによる保存操作が検出された際に、当該携帯端末装置から当該アプリケーションの保存データを受信し、前記通信手段が受信した保存データを記憶する保存データ記憶部を更に備えることを特徴とする。
【００１８】
当該発明によれば、ユーザはアプリケーションの起動中に保存操作を行うことにより、当該アプリケーションの保存データを入力操作補助具に記憶させることができることから、入力操作補助具を一の携帯端末装置から他の携帯端末装置に付け替えた場合であっても、一の携帯端末装置で使用したアプリケーションの保存データを、他の携帯端末装置でも使用することができる。
【００１９】
更に、請求項７に記載の発明は、携帯端末装置に装着されて、前記携帯端末装置のタッチパネルへのユーザの入力操作を補助する入力操作補助具であって、前記携帯端末装置で起動されるアプリケーションを記憶する情報記憶部と、前記携帯端末装置に装着された際、前記情報記憶部が記憶するアプリケーションを前記携帯端末装置に送信する通信手段と、前記携帯端末装置によって起動された前記アプリケーションによって前記入力操作を検出する領域として割り当てられる入力検出領域に対応する位置に配置され、ユーザによる押下操作により前記入力検出領域に接触する物理キーと、を備えることを特徴とする。
【００２０】
当該発明によれば、携帯端末装置が入力操作補助具から直接、タッチパネルに対する入力操作を補助する物理キーを使用可能なアプリケーションをダウンロードすることができる。
【００２１】
更に、請求項８に記載の発明は、携帯端末装置と、前記携帯端末装置に装着されて、前記携帯端末装置のタッチパネルへのユーザの入力操作を補助する入力操作補助具とを含む入力操作補助システムであって、前記入力操作補助具は、前記携帯端末装置により起動されるアプリケーションと対応するアプリケーション情報を記憶する情報記憶部と、前記携帯端末装置により起動された前記アプリケーションによって前記入力操作を検出する領域として割り当てられる入力検出領域に対応する位置に配置され、ユーザによる押下操作により前記入力検出領域に接触する物理キーと、を備え、前記携帯端末装置は、前記入力操作補助具から前記アプリケーション情報を受信する受信手段と、前記受信手段が受信したアプリケーション情報に基づいて、前記アプリケーションを起動させる起動手段と、を備えることを特徴とする。
【００２２】
更に、請求項９に記載の発明は、携帯端末装置と、前記携帯端末装置に装着されて、前記携帯端末装置のタッチパネルへのユーザの入力操作を補助する入力操作補助具とを含む入力操作補助システムによる情報処理方法であって、前記携帯端末装置により起動されるアプリケーションと対応するアプリケーション情報を記憶する情報記憶部と、前記携帯端末装置により起動された前記アプリケーションによって前記入力操作を検出する領域として割り当てられる入力検出領域に対応する位置に配置され、ユーザによる押下操作により前記入力検出領域に接触する物理キーと、を備える前記入力操作補助具が、前記アプリケーション情報を前記携帯端末装置に送信する通信工程と、前記携帯端末装置が、前記入力操作補助具から前記アプリケーション情報を受信する受信工程と、前記携帯端末装置が、前記受信工程で受信したアプリケーション情報に基づいて、前記アプリケーションを起動させる起動工程と、を含むことを特徴とする。
【００２３】
更に、請求項１０に記載の発明は、携帯端末装置と、前記携帯端末装置に装着されて、前記携帯端末装置のタッチパネルへのユーザの入力操作を補助する入力操作補助具とを含む入力操作補助システムであって、前記入力操作補助具は、前記携帯端末装置がアプリケーションを入手するためのアプリケーション情報を記憶する情報記憶部と、前記アプリケーション情報に基づいて入手された前記アプリケーションによって前記入力操作を検出する領域として割り当てられる入力検出領域に対応する位置に配置され、ユーザによる押下操作により前記入力検出領域に接触する物理キーと、を備え、前記携帯端末装置は、前記入力操作補助具から前記アプリケーション情報を受信する受信手段と、前記受信手段が受信したアプリケーション情報に基づいて入手した前記アプリケーションを起動させる起動手段と、を備えることを特徴とする。
【００２４】
更に、請求項１１に記載の発明は、携帯端末装置と、前記携帯端末装置に装着されて、前記携帯端末装置のタッチパネルへのユーザの入力操作を補助する入力操作補助具とを含む入力操作補助システムによる情報処理方法であって、前記携帯端末装置がアプリケーションを入手するためのアプリケーション情報を記憶する情報記憶部と、前記アプリケーション情報に基づいて入手された前記アプリケーションによって前記入力操作を検出する領域として割り当てられる入力検出領域に対応する位置に配置され、ユーザによる押下操作により前記入力検出領域に接触する物理キーと、を備える前記入力操作補助具が、前記アプリケーション情報を前記携帯端末装置に送信する通信工程と、前記携帯端末装置が、前記入力操作補助具から前記アプリケーション情報を受信する受信工程と、前記携帯端末装置が、前記受信工程で受信したアプリケーション情報に基づいて入手した前記アプリケーションを起動させる起動工程と、を含むことを特徴とする。
【００２５】
更に、請求項１２に記載の発明は、携帯端末装置と、前記携帯端末装置に装着されて、前記携帯端末装置のタッチパネルへのユーザの入力操作を補助する入力操作補助具とを含む入力操作補助システムであって、前記入力操作補助具は、前記携帯端末装置がアプリケーションを起動するためのアプリケーション情報を記憶する情報記憶部と、前記携帯端末装置に装着された際、前記情報記憶部が記憶するアプリケーション情報を前記携帯端末装置に送信する通信手段と、前記アプリケーション情報に基づいて起動された前記アプリケーションによって前記入力操作を検出する領域として割り当てられる入力検出領域に対応する位置に配置され、ユーザによる押下操作により前記入力検出領域に接触する物理キーと、を備え、前記携帯端末装置は、前記入力操作補助具から前記アプリケーション情報を受信する受信手段と、前記受信手段が受信したアプリケーション情報に基づいて、前記アプリケーションを起動させる起動手段と、を備えることを特徴とする。
【００２６】
当該発明によれば、アプリケーション情報を、タッチパネルに対する入力操作を補助する物理キーを使用可能なアプリケーションを起動するための情報とすることにより、携帯端末装置が当該アプリケーションを起動した場合に当該アプリケーションにおいて当該物理キーを使用することができる。
【００２７】
更に、請求項１３に記載の発明は、請求項１２に記載の入力操作補助システムであって、前記アプリケーション情報は、前記アプリケーションのダウンロード元を特定するためのダウンロード元情報であり、前記ダウンロード元は、複数種類の前記アプリケーションの中からユーザにより選択されたアプリケーションをダウンロード可能に構成されており、前記受信手段は、前記ダウンロード元から、ユーザにより選択されたアプリケーションを更に受信し、前記起動手段は、前記受信手段が受信したアプリケーションを起動させることを特徴とする。
【００２８】
当該発明によれば、携帯端末装置がユーザにより選択されたアプリケーションをダウンロードして起動させることができ、ユーザは自らが選択したアプリケーションにおいて物理キーを使用することができる。
【００２９】
更に、請求項１４に記載の発明は、請求項１２又は１３に記載の入力操作補助システムであって、前記携帯端末装置は、前記アプリケーションの起動中にユーザによる保存操作が検出された際に、当該アプリケーションの保存データを前記入力操作補助具に送信する保存データ送信手段、を更に備え、前記通信手段は、前記保存データ送信手段から送信された保存データを受信し、前記入力操作補助具は、前記通信手段が受信した保存データを記憶する保存データ記憶部を更に備えることを特徴とする。
【００３０】
当該発明によれば、ユーザはアプリケーションの起動中に保存操作を行うことにより、当該アプリケーションの保存データを入力操作補助具に記憶させることができることから、入力操作補助具を一の携帯端末装置から他の携帯端末装置に付け替えた場合であっても、一の携帯端末装置で使用したアプリケーションの保存データを、他の携帯端末装置でも使用することができる。
【００３１】
更に、請求項１５に記載の発明は、携帯端末装置と、前記携帯端末装置に装着されて、前記携帯端末装置のタッチパネルへのユーザの入力操作を補助する入力操作補助具とを含む入力操作補助システムによる情報処理方法であって、前記携帯端末装置がアプリケーションを起動するためのアプリケーション情報を記憶する情報記憶部と、前記アプリケーション情報に基づいて起動された前記アプリケーションによって前記入力操作を検出する領域として割り当てられる入力検出領域に対応する位置に配置され、ユーザによる押下操作により前記入力検出領域に接触する物理キーと、を備える前記入力操作補助具が、前記携帯端末装置に装着された際、前記情報記憶部が記憶するアプリケーション情報を前記携帯端末装置に送信する通信工程と、前記携帯端末装置が、前記入力操作補助具から前記アプリケーション情報を受信する受信工程と、前記携帯端末装置が、前記受信工程で受信したアプリケーション情報に基づいて、前記アプリケーションを起動させる起動工程と、を含むことを特徴とする。
【００３２】
当該発明によれば、アプリケーション情報を、タッチパネルに対する入力操作を補助する物理キーを使用可能なアプリケーションを起動するための情報とすることにより、携帯端末装置が当該アプリケーションを起動した場合に当該アプリケーションにおいて当該物理キーを使用することができる。
【発明の効果】
【００３３】
本発明によれば、携帯端末装置により起動されるアプリケーションと入力操作補助具を対応付けることができることから、携帯端末装置が当該アプリケーションを起動した場合に当該アプリケーションにおいて当該物理キーを使用することができる。
【図面の簡単な説明】
【００３４】
【図１】本実施形態における保護カバー１とスマートフォン２の斜視図である。
【図２】本実施形態におけるＩＣタグ１１の構成の一例を示すブロック図である。
【図３】本実施形態におけるスマートフォン２に保護カバー１を装着した状態における物理キーパネル１３の断面拡大図である。
【図４】本実施形態におけるスマートフォン２の構成の一例を示すブロック図である。
【図５】本実施形態における入力システムの動作例を示すフローチャートである。
【図６】本実施形態における特別アプリケーションが電卓アプリケーションである場合の実施例を示す図である。
【図７】本実施形態における特別アプリケーションが電卓アプリケーションである場合の実施例を示す図である。
【図８】本実施形態における特別アプリケーションが電卓アプリケーションである場合の実施例を示す図である。
【図９】本実施形態における特別アプリケーションがゲームアプリケーションである場合の実施例を示す図である。
【発明を実施するための形態】
【００３５】
以下、図面を参照して本発明の実施形態について説明する。なお、以下に説明する実施形態は、携帯端末装置の一例であるスマートフォンと、当該スマートフォンの保護カバーとを含む入力システムに本発明を適用した場合の実施形態である。
【００３６】
［１．入力システムの概要］
図１を用いて、入力システムＳの概要について説明する。保護カバー１は、タッチパネル２４を有するスマートフォン２に着脱可能に装着される。保護カバー１のＩＣタグ１１にはアプリケーションのダウンロード元を示すＵＲＬ（Uniform Resource Locator）が記憶されており、保護カバー１がスマートフォン２に装着されると、近距離無線通信機能を備えたスマートフォン２にＵＲＬが送信される。スマートフォン２はＵＲＬを受信すると、当該ＵＲＬに基づいてダウンロード元のサーバ装置（図示しない）にアクセスしてアプリケーションをダウンロードし、起動させる。保護カバー１には、物理キー１２と、複数の物理キー１２が配列された物理キーパネル１３が設けられており、物理キー１２がユーザにより押下されると、物理キー１２がタッチパネル２４に接触し、ユーザの操作がスマートフォン２に入力される。なお、タッチパネル２４における何れの領域への入力が何れの機能を作動させるかはアプリケーションに応じて異なるが、保護カバー１のＩＣタグ１１に記憶されているＵＲＬに基づいてダウンロードされ、起動されるアプリケーション（以下、「特別アプリケーション」という）は、各物理キー１２が押下されて接触する位置への入力を、当該物理キー１２に対応付けられた機能を作動させるための入力として検出する。これにより、ユーザは物理キー１２を用いて特別アプリケーションへの入力を行うことができる。
【００３７】
［２．保護カバー１の構成］
図２に示すように、ＩＣタグ１１は、制御部１１１、記憶部１１２及び通信部１１３を含んで構成される。記憶部１１２は、物理キー１２により入力が可能なアプリケーションのダウンロード元を示すＵＲＬを記憶する。通信部１１３は、保護カバー１がスマートフォン２に装着された際、スマートフォン２との近距離無線通信を行う。制御部１１１は、保護カバー１がスマートフォン２に装着されて、スマートフォン２と近距離無線通信が可能となったことを検出すると、記憶部１１２が記憶するＵＲＬを、通信部１１３を介してスマートフォン２に送信する。なお、ＩＣタグ１１は、保護カバー１がスマートフォン２に装着された際、少なくとも、スマートフォン２との近距離無線通信が可能な位置に設けられる。保護カバー１が装着されるスマートフォン２の近距離無線通信部（もしくは誘導式読み書き通信設備）の取り付け位置が予め判明している場合には、当該取り付け位置に対応する位置にＩＣタグ１１を設けるのが好適である。
【００３８】
図３は、スマートフォン２に保護カバー１を装着した状態における物理キーパネル１３の断面を拡大した図である。物理キー１２は、ユーザが押下するキートップ部１２１と、キートップ部１２１よりも小さく形成され、キートップ部１２１の押下に応じてタッチパネル２４に接触する押し子部１２２と、これらの間に設けられるバネ１２３とを含んで構成されている。押し子部１２２は、導電性シリコンなどの導電性素材により形成されており、タッチパネル２４は押し子部１２２が接触した部分の電位の変化を捉えて入力を検出する。これにより、ユーザはタッチパネル２４に直接触れて入力する場合よりも、物理キー１２（キートップ部１２１）の感触を確かめながら入力を行うことができ、誤入力を防ぐことができる。
【００３９】
［３．スマートフォン２の構成］
次に、図４を用いて、スマートフォン２の構成について説明する。図４に示すように、スマートフォン２は、制御部２１、記憶部２２、通信部２３、タッチパネル２４、ボタン操作部２５及び近距離無線通信部２６を備えている。
【００４０】
記憶部２２は、例えば、不揮発性メモリ等により構成されており、オペレーティングシステムや、アプリケーションプログラム等の各種プログラムを記憶する。各種プログラムは、例えば、他のサーバ装置等からネットワークを介して取得されるようにしても良いし、記録媒体に記録されて外付けドライブ装置を介して読み込まれるようにしても良い。また、本実施形態の記憶部２２は、特に、保護カバー１から受信したＵＲＬに基づいてアクセスしたサーバ装置からダウンロードした特別アプリケーションを記憶する。特別アプリケーションは、少なくとも、各物理キー１２に対応するタッチパネル２４上の領域を入力検出領域として、物理キー１２が押下された領域（入力が検出された領域）に応じた動作を行う。
【００４１】
通信部２３は、ネットワークを介した他のサーバ装置等との通信を制御する。
【００４２】
タッチパネル２４は、例えば、静電容量方式のタッチパネルと表示装置とを有し、入力装置及び表示装置として機能する。導電性部材で形成された押し子部１２２がタッチパネル２４に接触すると、タッチパネル２４は静電容量の変化を捉えて、押し子部１２２が接触した位置を特定する。そして、タッチパネル２４は、押し子部１２２が接触した位置を示す検出位置信号を制御部２１に送信する。
【００４３】
ボタン操作部２５は、ユーザが押下することによりボタン押下信号が制御部２１に送信され、例えば、表示装置により表示されている画面が閉じられるようになっている。つまり、ユーザは、タッチパネル２４とボタン操作部２５に対する入力操作により、スマートフォン２に情報を入力することができるようになっている。
【００４４】
制御部２１は、ＣＰＵ、ＲＡＭ等により構成されている。ＣＰＵが、記憶部２２に記憶された各種プログラムを読み出し実行することにより各種機能を実現する。また、制御部２１は、タッチパネル２４から検出位置信号が入力されると、起動中のアプリケーションに従い、当該検出位置信号の示す検出位置に応じた処理を行う。
【００４５】
近距離無線通信部２６は、アンテナ、整流回路、復調回路、変調回路、記憶部等を備えている。整流回路は、アンテナの入力を交流から直流に整流する。復調回路は、ＩＣタグ１１等の非接触型通信装置から入力される搬送波に重畳されたコマンドやデータをデジタルデータに復調する。本実施形態では、復調されるデータとして、ＩＣタグ１１から送信されたＵＲＬも含まれる。一方、変調回路は、非接触型通信装置に送信するコマンドやデータを搬送波に重畳させる。近距離無線通信部２６内の記憶部は、近距離無線通信部２６固有のＩＤや、金銭的価値（いわゆる電子マネー）の量を表すバリューを記憶する。
【００４６】
［４．入力システムＳの動作］
次に、図５を用いて、保護カバー１とスマートフォン２を含む入力システムＳの動作について説明する。図５は、入力システムＳの動作を示すフローチャートであり、保護カバー１がスマートフォン２に装着されることにより開始される。
【００４７】
保護カバー１がスマートフォン２に装着されると、ＩＣタグ１１はスマートフォン２の近距離無線通信部２６から、記憶部１１２に記録されたＵＲＬを読み出すための信号を受信する。ＩＣタグ１１の制御部１１１はスマートフォン２から受信した当該信号を解釈し、記憶部１１２に記憶されたＵＲＬを、通信部１１３を介してスマートフォン２に送信する（ステップＳ１）。
【００４８】
スマートフォン２の制御部２１は、保護カバー１のＩＣタグ１１からＵＲＬを受信すると（ステップＳ１１）、受信したＵＲＬに基づき、特別アプリケーションのダウンロード元であるサーバ装置へアクセスする（ステップＳ１２）。このとき、制御部２１は、サーバ装置にアクセスして特別アプリケーションをダウンロードしてもよいか否かと、受信したＵＲＬとを表すメッセージをタッチパネル２４に表示させ、ユーザが当該ＵＲＬに基づく特別アプリケーションのダウンロードを許可する許可操作を行った場合にのみステップＳ１２の処理を実行することとしてもよい。次に、制御部２１は、サーバ装置から特別アプリケーションをダウンロードするに当たり、既に、特別アプリケーションをダウンロード済であるか否かを判定する（ステップＳ１３）。具体的には、制御部２１は、ダウンロード履歴（ダウンロードしたアプリケーションの履歴を記憶部２２に記憶しておく）を参照したり、記憶部１２に特別アプリケーションが記憶されているか、或いはインストール済であるかを確認したりすることにより、特別アプリケーションをダウンロード済であるか判定する。但し、特別アプリケーションをダウンロード済であっても特別アプリケーションを削除している場合には、ダウンロード済でないと判定する。
【００４９】
なお、保護カバー１の記憶部１１２が保護カバー１を識別するためのカバーＩＤを記憶し、保護カバー１の制御部１１１が当該カバーＩＤをＵＲＬとともにスマートフォン２に送信する構成とするとともに、スマートフォン２の制御部２１が、受信したＵＲＬに基づいてダウンロードした特別アプリケーションと受信したカバーＩＤを対応付けて記憶部１２に記憶させる構成としておき、制御部２１はスマートフォン２に保護カバー１が装着されて、保護カバー１からＵＲＬとカバーＩＤを受信した場合に、当該カバーＩＤと対応付けられている特別アプリケーションが記憶部１２に記憶されているか否かに応じて、特別アプリケーションをダウンロード済であるか否かを判定することとしてもよい。
【００５０】
制御部２１は、特別アプリケーションをダウンロード済であると判定した場合には（ステップＳ１３：ＹＥＳ）、特別アプリケーションを起動させて（ステップＳ１５）、当該フローチャートに示す処理を終了する。特別アプリケーションを起動させる際、制御部２１は、特別アプリケーションを起動してよいかメッセージをタッチパネル２４に表示させ、ユーザがこれを許可する許可操作を行った場合にのみ特別アプリケーションを起動させることとしてもよい。また、上述したように、特別アプリケーションとカバーＩＤを対応付けて記憶部１２に記憶させておく構成とした場合において、制御部２１は、保護カバー１から受信したカバーＩＤに対応する特別アプリケーションがダウンロード済であると判定した場合には、カバーＩＤに対応する特別アプリケーションを直ちに起動することができる。一方、制御部２１は、特別アプリケーションをダウンロード済ではないと判定した場合には（ステップＳ１３：ＮＯ）、サーバ装置から特別アプリケーションをダウンロードし（ステップＳ１４）、特別アプリケーションを起動させて（ステップＳ１５）、当該フローチャートに示す処理を終了する。
【００５１】
［５．実施例］
次に、図６−図９を用いて、入力システムＳの実施例について説明する。
【００５２】
［５．１．実施例１］
まず、特別アプリケーションが電卓アプリケーションである場合の実施例について説明する。図６に示すように、実施例１の保護カバー１の物理キーパネル１３には、電卓を模した物理キー１２がそれぞれ配列されている。物理キー１２のキートップ部１２１には、数字や記号が描かれており、電卓アプリケーションの起動中に物理キー１２が押下されると、スマートフォン２の制御部２１は物理キー１２が押下された入力位置を検出することによりユーザの操作内容を判別し、計算表示部２４１の表示や、入力された数値に基づく計算を行う。例えば、「１」と描かれた物理キー１２が押下されると計算表示部２４１に「１」と表示し、次いで、「＋」と描かれた物理キー１２、「２」と描かれた物理キー１２、「＝」と描かれた物理キー１２が順次押下されると、計算表示部２４１に、「１＋２＝」と表示するとともに、「１＋２＝」を計算し、その計算結果である「３」を表示する。
【００５３】
なお、図７に示すように、タッチパネル２４に表示されている記号等を視認可能なように、物理キー１２を透明乃至半透明の透過性部材で形成することとしてもよい。この場合、スマートフォン２の制御部２１は、図６において物理キー１２のキートップ部１２１に描かれていた数字や記号を、タッチパネル２４における各物理キー１２に対応する位置に表示させる。これにより、ユーザは、物理キー１２を透過して見える数字や記号に基づいて入力操作を行うことができる。また、キートップ部１２１に数字や記号を描かなくて済むため、保護カバー１の生産コストを抑制することができる。
【００５４】
また、図７に示すように、制御部２１は、タッチパネル２４における一部の物理キー１２Ｆに対応する位置に例えば「Ｆ」と表示させ、物理キー１２Ｆに対する押下操作を検出した場合に、図８に示すように、各物理キー１２に対応する位置に表示させていた少なくとも一部の記号を、他の記号に切り替えて表示させることとしてもよい。このとき、制御部２１は物理キー１２Ｆが押下される度にタッチパネル２４の表示を切り換える。これにより、図７に示すキー配列と図８に示すキー配列の双方をユーザに提供することができ、限られた数の物理キー１２に複数の機能を割り当てることができる。なお、制御部２１は、表示の切り替えに伴って異なる機能が割り当てられる物理キー１２については、押下操作が行われた際に表示されている数字や記号に対応する動作を行うものとする。
【００５５】
［５．２．実施例２］
次に、特別アプリケーションがゲームアプリケーションである場合の実施例について説明する。図９に示すように、実施例２の保護カバー１の物理キーパネル１３には、ゲーム機のコントローラ部を模した物理キー１２がそれぞれ配列されている。ゲームアプリケーションでは、タッチパネル２４上の、物理キーパネル１３で覆われていない領域をコンテンツ表示領域とし、ゲームコンテンツを表示する。スマートフォン２の制御部２１は、物理キー１２に対する操作内容を検出し、操作内容に応じてコンテンツ表示領域の表示を制御する。
【００５６】
以上説明したように、本実施形態の保護カバー１は、スマートフォン２（「携帯端末装置」の一例）に装着されて、スマートフォン２のタッチパネル２４へのユーザの入力操作を補助する入力操作補助具であって、ＩＣタグ１１の記憶部１１２（「情報記憶部」の一例）は、スマートフォン２により起動される特別アプリケーション（「アプリケーション」の一例）を起動するためのＵＲＬ（「アプリケーション情報」の一例）を記憶し、ＩＣタグ１１の制御部１１１（「通信手段」の一例）は、スマートフォン２に装着された際、記憶部１１２が記憶するＵＲＬをスマートフォン２に送信し、物理キー１２は、ＵＲＬに基づいて起動された特別アプリケーションによって入力操作を検出する領域として割り当てられる入力検出領域に対応する位置に配置され、ユーザによる押下操作により入力検出領域に接触する。
【００５７】
したがって、本実施形態の保護カバー１によれば、ユーザは、スマートフォン２が特別アプリケーションを起動した場合に、特別アプリケーションにおいて物理キー１２を使用することができる。
【００５８】
また、上述したように、スマートフォン２が保護カバー１からＵＲＬとともにカバーＩＤを受信する構成とした場合における保護カバー１は、ＩＣタグ１１の記憶部１１２（「情報記憶部」の一例）が、スマートフォン２により起動される特別アプリケーション（「アプリケーション」の一例）と対応するカバーＩＤ（「アプリケーション情報」の一例）を記憶し、物理キー１２が、スマートフォン２により起動された特別アプリケーションによって入力操作を検出する領域として割り当てられる入力検出領域に対応する位置に配置され、ユーザによる押下操作により入力検出領域に接触する。この場合、スマートフォン２により起動される特別アプリケーションと保護カバー１を対応付けることができることから、スマートフォン２が特別アプリケーションを起動した場合に特別アプリケーションにおいて物理キー１２を使用することができる。
【００５９】
［６．変形例］
次に、上記実施形態の変形例について説明する。なお、以下に説明する変形例は適宜組み合わせることができる。
【００６０】
［６．１．ダウンロードページでアプリケーションを選択］
上記実施形態では、スマートフォン２の制御部２１は、保護カバー１から受信したＵＲＬに基づいてダウンロード元のサーバ装置にアクセスし、特別アプリケーションを受信する構成としたが、これに代えて、複数種類の特別アプリケーションの中からユーザが選択した特別アプリケーションをダウンロード可能なダウンロードページをサーバ装置に用意しておき、当該ダウンロードページのＵＲＬをＩＣタグ１１の記憶部１１２に記憶させておく構成としてもよい。
【００６１】
本変形例では、スマートフォン２の制御部２１は、ＩＣタグ１１から受信したＵＲＬに基づいてダウンロードページにアクセスし、複数種類の特別アプリケーションを選択可能なダウンロードページをタッチパネル２４の、物理キーパネル１３で覆われていない領域に表示させる。ダウンロードページは、それぞれの特別アプリケーションの説明、他のユーザの評価及びダウンロードボタン等を表示し、ユーザが利用したい特別アプリケーションに対応するダウンロードボタンを選択することにより、当該特別アプリケーションをスマートフォン２にダウンロードできるように構成する。制御部２１は、ダウンロードページから、ユーザが選択した特別アプリケーションをダウンロードして起動する。
【００６２】
本変形例によれば、物理キーパネル１３における物理キー１２の配列を多種多様な配列とすることができる中で、ユーザはスマートフォン２に装着した保護カバー１の物理キー１２の配列に適した特別アプリケーションをダウンロードページで選択することができるようになる。物理キー１２の配列に適した特別アプリケーションとは、具体的には、物理キーパネル１３で覆われない位置にコンテンツを表示するとともに、各物理キー１２に対応する位置を、入力操作を検出する領域とする特別アプリケーションのことである。なお、ＩＣタグ１１の記憶部１１２には、当該ＩＣタグ１１が取り付けられている保護カバー１の物理キー１２の配列に適した特別アプリケーションのみが掲載されたダウンロードページのＵＲＬを記憶させることが好適である。そうすることにより、ユーザはダウンロードページに掲載された特別アプリケーションの何れを選択しても、物理キー１２の配列に適したアプリケーションをダウンロードして利用することができる。
【００６３】
［６．２．保護カバー１に特別アプリケーションを記憶］
上記実施形態では、ＩＣタグ１１の記憶部１１２に特別アプリケーションのダウンロード元のＵＲＬを記憶させる構成としたが、保護カバー１に特別アプリケーションを記憶させ、保護ケース１がスマートフォン２に装着された際に、特別アプリケーションを送信する構成としてもよい。このとき、スマートフォン２は特別アプリケーションを受信すると当該特別アプリケーションを起動するものとする。具体的には、一般的に特別アプリケーションのデータ容量は大きく、ＩＣタグ１１に特別アプリケーションを記憶させることができないことから、ＩＣタグ１１と同様の制御部、近距離無線通信部及び記憶部を備えるアプリ配信装置を保護カバー１に設け、当該記憶部に特別アプリケーションを記憶させることとする。
【００６４】
本変形例では、スマートフォン２の制御部２１は、アプリ配信装置から特別アプリケーションを受信すると、記憶部２２に記憶させるとともに、当該特別アプリケーションを起動させる。なお、制御部２１は、特別アプリケーションを受信した際に、既に特別アプリケーションを受信したことがあると判別した場合には、直ちに特別アプリケーションを起動させる。
【００６５】
本変形例によれば、スマートフォン２がネットワークを介して他のサーバ装置に接続することができず、サーバ装置から特別アプリケーションをダウンロードすることができない場合であっても、特別アプリケーションを利用することができる。
【００６６】
なお、特別アプリケーションで使用したデータをアプリ配信装置の記憶部に記憶するセーブ機能を設けることとしてもよい。具体的には、スマートフォン２の制御部２１（「保存データ送信手段」の一例）は、特別アプリケーションの起動中にユーザによる所定のセーブ操作（「保存操作」の一例）が検出された場合に、その時点における特別アプリケーションの保存データをアプリ配信装置に送信する。これに対して、アプリ配信装置の制御部は、スマートフォン２から受信した保存データをアプリ配信装置の記憶部（「保存データ記憶部」の一例）に記憶させる。そして、保護カバー１がスマートフォン２から取り外され、再度、同じスマートフォン２に装着された際には、アプリ配信装置の制御部は、アプリ配信装置の記憶部から保存データを取得し、アプリ配信装置の近距離無線通信部を介して、スマートフォン２に対して送信する。スマートフォン２の制御部２１は、アプリ配信装置から保存データを受信した場合には、特別アプリケーションを起動させ、保存データを読み込んでタッチパネル２４に表示させる。これにより、ユーザはセーブ操作を行った時点から特別アプリケーションの使用を再開することができる。また、保護カバー１がスマートフォン２から取り外され、特別アプリケーションが記憶されていない（インストールされていない）他のスマートフォン２に装着された際には、アプリ配信装置の制御部は、アプリ配信装置の記憶部から特別アプリケーション及び保存データを取得し、アプリ配信装置の近距離無線通信部を介して、スマートフォン２に対して送信する構成としてもよい。スマートフォン２の制御部２１は、アプリ配信装置から特別アプリケーション及び保存データを受信した場合には、特別アプリケーションを起動させ、保存データを読み込んでタッチパネル２４に表示させる。これにより、ユーザは一のスマートフォン２で使用した特別アプリケーションを他のスマートフォン２で、一のスマートフォン２においてセーブ操作を行った時点のデータを用いて使用を再開することができる。
【００６７】
［６．３．スマートフォン２に複数種類のアプリケーションが存在する場合］
スマートフォン２の記憶部２２に複数種類のアプリケーションが記憶されている場合、スマートフォン２の制御部２１は、保護カバー１が装着された際に、スマートフォン２の記憶部２２に記憶されている各アプリケーションの一覧を表示させ、アプリケーション一覧の中からユーザに保護カバー１を用いて使用するアプリケーション（保護カバー１を用いて使用するのに適したアプリケーション）を選択させる構成としてもよい。このとき、制御部２１は、ユーザがアプリケーション一覧の中から選択したアプリケーションを起動する。
【００６８】
また、上述したように、スマートフォン２が保護カバー１からＵＲＬとともにカバーＩＤを受信する構成とした場合であれば、制御部２１は、カバーＩＤと紐付けられている特別アプリケーションのみで構成されるアプリケーション一覧を表示させ、アプリケーション一覧の中からユーザに保護カバー１を用いて使用する特別アプリケーションを選択させる構成としてもよい。このとき、制御部２１は、ユーザがアプリケーション一覧の中から選択した特別アプリケーションを起動させる。この場合、アプリケーション一覧には特別アプリケーションのみが表示されるため、ユーザは保護カバー１を用いて使用するのに適したアプリケーション（すなわち、特別アプリケーション）と、保護カバー１を用いて使用するのに適さないアプリケーションを判別した上で、特別アプリケーションを選択する必要が無いことから、ユーザの負担を軽減することができる。
【００６９】
［６．４．スマートフォン２以外の携帯端末装置］
上記実施形態では、携帯端末装置がスマートフォン２である場合について説明したが、スマートフォン２以外の、タッチパネルを有する携帯電話機、ＰＤＡ（Personal Digital Assistant）、タブレットＰＣ、カーナビゲーション、リモートコントローラ、デジタルカメラ等についても本発明を適用することができる。
【００７０】
［６．５．近距離無線通信］
近距離無線通信の方法として、ｂｌｕｅｔｏｏｔｈ（登録商標）等の通信方法を採用することとしてもよい。
【符号の説明】
【００７１】
１  保護カバー
１１  ＩＣタグ
１２  物理キー
１３  物理キーパネル
２  スマートフォン
２１  制御部
２２  記憶部
２３  通信部
２４  タッチパネル
２５  ボタン操作部
２６  近距離無線通信部
【図１】
2016018334.tif 000003
【図２】
2016018334.tif 000004
【図４】
2016018334.tif 000005
【図５】
2016018334.tif 000006
【図３】
2016018334.tif 000007
【図６】
2016018334.tif 000008
【図７】
2016018334.tif 000009
【図８】
2016018334.tif 000010
【図９】
2016018334.tif 000011